(57)【要約】【課題】本発明は、パチンコ・スロット機用表示ランプに換気機能を設け、この換気機能によってタバコの煙を強制的に吸引して天井側へ排出する換気機能付きパチンコ・スロット機用表示ランプを提供することを目的とするものである。【解決手段】本発明は、表示ランプ本体１の正面側に設けられる各種色別された表示灯２とデジタル表示部３と、表示ランプ本体１の上下方向に貫設される換気穴４と、この換気穴４内に設けられる換気ファン５および換気穴４の開口端に設けられる空気清浄フィルター６より構成されるものである。【選択図】　　　　図４
2004073478.tif 000002
【特許請求の範囲】
【請求項１】
各パチンコ・スロット機の各種情報が色別された表示灯やデジタル表示によって表示される箱状の表示ランプにおいて、
表示ランプに貫設される換気穴と、
該換気穴内にタバコの煙を吸引してホール天井側へと排出する換気用ファンとを備えた
ことを特徴とする換気機能付きパチンコ・スロット機用表示ランプ。
【請求項２】
前記換気穴の一方側に空気清浄フィルターを設けた
ことを特徴とする請求項１記載の換気機能付きパチンコ・スロット機用表示ランプ。
【発明の詳細な説明】
【０００１】
【発明が属する技術分野】
本発明は換気機能付きパチンコ・スロット機用表示ランプに関する。詳しくはタバコの煙をホールの天井へと強制的に換気する換気機能付きパチンコ・スロット機用表示ランプに係るものである。
【０００２】
【従来の技術】
従来よりホール内に設けられる複数のパチンコ・スロット機設置島に連続してパチンコ機又はスロット機が設置されている。
従ってホールの床面積に対して過密状にパチンコ・スロット機が設置されることとなる。
【０００３】
そこで喫煙する遊技者は、各パチンコ・スロット機に向けてタバコを吸いながらパチンコやスロットを打つことが多く、これらのタバコの煙は両側に広がりながら立ち登りホールの天井に設けられる換気装置によって換気される。
【０００４】
【発明が解決しようとする課題】
しかしながらパチンコ・スロット機の遊技状態が遊技者に有利な大当たり状態となると、遊技に夢中になりタバコに火を付けたままで灰皿に置いたままとすることが多く、煙が立ち登り隣の遊技者に迷惑をかける問題がある。
【０００５】
また、ホールが満員の状態である場合には、多数の遊技者が喫煙をするために、パチンコ・スロット機設置島との間に煙が充満した状態となり、非喫煙者に対して非常に迷惑をかける問題がある。
【０００６】
本発明は、以上の点に鑑みて創案されたものであって、パチンコ・スロット機用表示ランプに換気機能を設け、この換気機能によってタバコの煙を強制的に吸引して天井側へ排出する換気機能付きパチンコ・スロット機用表示ランプを提供することを目的とするものである。
【０００７】
【課題を解決するための手段】
上記の目的を達成するために、本発明に係る換気機能付きパチンコ・スロット機用表示ランプは、各パチンコ・スロット機の各種情報が色別された表示灯やデジタル表示によって表示される箱状の表示ランプにおいて、表示ランプに貫設される換気穴と、該換気穴内にタバコの煙を吸引してホール天井側へと排出する換気用ファンとを備える。
【０００８】
ここで、パチンコ・スロット機の上部に設けられる表示ランプにホールの天井側へ排出する換気穴を設け、換気ファンによって遊技者が吐き出すタバコの煙を吸引して天井側へ排出することによりパチンコ・スロット機の近傍は常にタバコの煙が換気された状態となる。
【０００９】
また、天井側へ排出されるタバコの煙はホールの天井に設置される換気装置や空気清浄装置によって換気されることとなる。
【００１０】
【発明の実施の形態】
以下本発明の実施の形態を図面を参酌しながら説明し、本発明の理解に供する。
【００１１】
図１に、本発明を適用した換気機能付きパチンコ・スロット機用表示ランプの一例を説明するための正面図、図２に図１における平面図、図３に図１における底面図、図４に本発明を適用した換気機能付きパチンコ・スロット機用表示ランプの一例を説明するための内部断面図を示す。
【００１２】
ここで示す換気機能付きパチンコ・スロット機用表示ランプは、プラスチックなどの合成樹脂材により箱状に形成される表示ランプ本体１の正面側に設けられる各種色別された表示灯２とデジタル表示部３と、表示ランプ本体１の上下方向に貫設される換気穴４と、この換気穴４内に設けられる換気ファン５および換気穴４の開口端に設けられる空気清浄フィルター６より構成されるものである。
【００１３】
ここで、表示ランプ本体１の前面には透光カバー内に光源を配設し、呼出しボタン７によって点灯させる呼出し用としての表示灯２、あるいは大当たり状態となると光源が点滅する表示灯２が設けられる。
【００１４】
そして表示ランプ本体１の前面中央には大当り、または時間あたりの履歴、最高確変継続、平均確率、大当り回数などの各パチンコ・スロット機における情報をグラフや数値によって表示するデジタル表示部３が設けられるものである。
【００１５】
次に換気穴４は表示ランプ本体１の上下方向に貫設され、その上部開口端を排気口８とし、下部開口端を吸気口９とされる。そして換気穴４内には換気ファン５が設けられるものであり、この換気ファン５は電動モーター１０によって駆動回転させ、吸気口９からタバコの煙の吸気を行い、排気口８より上方へ排出する機構とされるものである。
【００１６】
更に換気ファン５は表示ランプ本体１に設けられる換気スイッチ１１によってＯＮ・ＯＦＦの切り替えを行い、かつ換気表示ランプ１２によって換気中点灯させることで換気の有無を識別できる構成とするものである。
【００１７】
また、排気口８には空気清浄フィルター６が装着されるものであり、この空気洗浄フィルター６は排気口８、あるいは吸気口９に対して着脱自在な機構とする。また空気洗浄フィルター６はタバコの煙に含まれるタールやニコチンを吸着する繊維材により形成された構成とするものである。
【００１８】
ここで、表示ランプ本体は必ずしも表示灯およびデジタル表示部から構成される必要性は無く、表示灯のみ、あるいはデジタル表示部のみによる構成としたものであっても良いが、一般的にパチンコ機やスロット機の上部に設けられる所謂表示ランプやナンバーランプと呼ばれる機能を有するものであることが好ましい。
【００１９】
また、空気清浄フィルターはタバコの煙に含まれるタールやニコチンを吸着するものであり必ずしも必要とされるものでは無く、タバコの煙を吸引して天井側へ排気するものであればいかなるものであっても良いが、ホールの天井に設置された換気装置により換気を行う前に、タバコ特有の臭いを除去することで、より一層のホールでの空気洗浄効果を得ることが可能となる。
【００２０】
また、換気の作動は遊技者のＯＮ・ＯＦＦスイッチによる操作に他に、パチンコ・スロット機設置島毎に一括してＯＮ・ＯＦＦの操作を行う構成や、各遊技者が換気のＯＮをした場合には、数分後に自動的に停止する構成など状況に応じて種々の構成が考えられるものである。
【００２１】
以上の構成より成る本発明では図５に示すように、遊技者Ａがパチンコ機Ｂの前の椅子Ｃに座り、喫煙をしながら遊技を行う場合には、表示ランプ本体１の換気スイッチ１１をＯＮの状態とし換気ファン５を駆動回転させる。
【００２２】
そこで遊技者Ａは、その殆どがパチンコ機Ｂに向けてタバコの煙を吐き出すものである。従ってパチンコ機Ｂの上部に設けられる表示ランプ本体１の吸気口９からの吸気によって、タバコの煙が強制的に吸い込まれることとなる。
【００２３】
そして吸い込まれた煙は排気口８に装着される空気洗浄フィルター６によって煙に含まれるタールやニコチンを吸着し、排気口８より天井側へと排出する。
【００２４】
これにより各パチンコ機やスロット機における遊技者の喫煙によるタバコの煙を吸気して天井側へ排気することによりタバコの煙が隣の遊技者の方へ流れ込むことが無く、更にパチンコ・スロット機設置島との間に煙が充満することなくスムーズな換気が可能となるものである。
【００２５】
また、非喫煙者では換気ファンを作動させる必要は無く、喫煙者のみが換気ファンを換気スイッチによって作動させることにより効率的な換気が行えることとなる。
【００２６】
【発明の効果】
以上述べて来た如く本発明によれば、パチンコ・スロット機用表示ランプに換気機能を設けることによって、遊技者からのタバコの煙を直接的に吸気して遊技者の頭上へ排気することにより隣の遊技者に迷惑をかけることがなくなる。
【００２７】
また、パチンコ・スロット機設置島との間に充満する煙を淨化しながら天井側へ排気し、天井に設けられる本来の換気装置によって換気を行う２段階方式により、ホールが満員の状態であってもタバコの煙がパチンコ・スロット機設置島との間に漂わない換気を行うことが可能となる。
【図面の簡単な説明】
【図１】本発明を適用した換気機能付きパチンコ・スロット機用表示ランプの一例を説明するための正面図である。
【図２】図１における平面説明図である。
【図３】図１における底面説明図である。
【図４】本発明を適用した換気機能付きパチンコ・スロット機用表示ランプの一例を説明するための内部断面図である。
【図５】本発明を適用した換気機能付きパチンコ・スロット機用表示ランプの使用状態の一例を説明するための説明図である。
【符号の説明】
１　　　　表示ランプ本体
２　　　　表示灯
３　　　　デジタル表示部
４　　　　換気穴
５　　　　換気ファン
６　　　　空気洗浄フィルター
７　　　　呼出しボタン
８　　　　排気口
９　　　　吸気口
１０　　　電動モーター
１１　　　換気スイッチ
１２　　　換気表示ランプ
【図１】
2004073478.tif 000003
【図２】
2004073478.tif 000004
【図３】
2004073478.tif 000005
【図４】
2004073478.tif 000006
【図５】
2004073478.tif 000007